(57)【特許請求の範囲】
【請求項１】
デジタル露光のためのデジタル用デバイスと光源（１５５）とが一体的にユニット化されて装置本体（１）内に配置される写真処理装置であって、該ユニット（１４）は、光源（１５５）を収めるランプハウス（１５６）を備えると共に、該ランプハウス（１５６）の一部に、装置本体（１）内に面する開口部が形成され、さらに、該開口部から装置本体（１）内の空気をランプハウス（１５６）内に吸い込むための吸気手段が設けられ、前記吸気手段が、前記開口部とは異なるランプハウス（１５６）の位置に形成された開口部に一端が接続されるダクト（１６１）と、該ダクト（１６１）の他端に接続される排気ファン（１６２）とからなり、前記ダクト（１６１）は、前記排気ファン（１６２）と分離可能に構成され、前記ユニット（１４）は、装置本体（１）から引き出し可能に構成されてなることを特徴とする写真処理装置。
【請求項２】
前記開口部からランプハウス（１５６）内に不要な光が侵入するのを防止すべく、該ランプハウス（１５６）内に、遮光機構が設けられてなる請求項１記載の写真処理装置。
【請求項３】
前記遮光機構が、交互に位相が異なるように連設された少なくとも二以上の遮光板（１８０，…）からなる請求項２記載の写真処理装置。
【請求項４】
前記開口部に、エアフィルタ（１６８）が配されてなる請求項１乃至３の何れかに記載の写真処理装置。
【発明の詳細な説明】
【０００１】
【発明の属する技術分野】
本発明は、露光のための光源を備えた写真処理装置に関する。
【０００２】
【従来の技術】
写真処理装置は、写真フィルムの画像を感光材料に焼き付けて露光を行なうための光源を有している。この露光処理を行なうために用いられる光源は、露光処理のために所定値以上の光量が必要であるため、例えばハロゲンランプが採用されている。
【０００３】
また、この露光処理を行なうために用いられる光源は、上述したような所定値以上の光量と共に、高い熱量をも有することとなるので、この熱量によって、光源自身の温度が高くなって光源の寿命が短くなったり、光源の周囲に位置する他の要素の温度を上昇させる等の影響を及ぼすことがある。
【０００４】
そこで、光源と光学レンズとの組合せにより写真フィルムの画像を光学的に焼き付けるという、いわゆるアナログ露光方式を採用した従来の写真処理装置では、光源を収めたランプハウスを装置本体外に配置し、ランプハウスに設けられたファン等を用いて光源を強制冷却するような構成にしている。
【０００５】
【発明が解決しようとする課題】
しかしながら、近年のデジタル技術およびこれに付随するデジタル用デバイスの発達に伴うデジタル露光方式の採用により一つの問題が生じてきた。
【０００６】
それは、デジタル露光方式を採用した写真処理装置は、デジタル用デバイスと光源とが一体的にユニット化されて装置本体内に配置される構成であるため、構造上、従来のアナログ露光方式のような冷却方法を採用できないという問題である。
【０００７】
この問題の対策としては、光源に接続されるダクトを設け、このダクトの吸い込み口を装置本体の外装カバーに形成された通気孔に接続し、装置本体外の空気をダクトを介して吸い込み、この吸い込んだ空気により光源を冷却する構成が考えられるが、かかる場合、光源の光路上に外部からの光が侵入して感光材料が不要に感光するのを防止すべく、装置本体の外装カバーに遮光を施す必要が生じ、特に、外装カバーが扉である場合は、構造が複雑となるばかりでなく、製造コストが悪化する。
【０００８】
そこで、本発明は上記の問題を解決するためになされたもので、光源を装置本体内に配置した場合において、光源の冷却に係る構成を簡素化すると共に、光源の光路上への外部からの光の侵入して、感光材料が不要に感光するのを防止することができる写真処理装置を提供することを課題とする。
【０００９】
【課題を解決するための手段】
上記課題を解決するための本発明に係る写真処理装置は、デジタル露光のためのデジタル用デバイスと光源１５５とが一体的にユニット化されて装置本体１内に配置される写真処理装置であって、該ユニット１４は、光源１５５を収めるランプハウス１５６を備えると共に、該ランプハウス１５６の一部に、装置本体１内に面する開口部が形成され、さらに、該開口部から装置本体１内の空気をランプハウス１５６内に吸い込むための吸気手段が設けられ、前記吸気手段が、前記開口部とは異なるランプハウス１５６の位置に形成された開口部に一端が接続されるダクト１６１と、該ダクト１６１の他端に接続される排気ファン１６２とからなり、前記ダクト１６１は、前記排気ファン１６２と分離可能に構成され、前記ユニット１４は、装置本体１から引き出し可能に構成されてなることを特徴とする。
【００１０】
上記構成からなる写真処理装置によれば、吸気手段が作動することで、装置本体１内の空気が開口部を介してランプハウス１５６内に吸い込まれ、この吸い込まれた空気が内部の光源を冷却するのである。また、かかる構成からなる写真処理装置によれば、排気ファン１６２が作動することで、装置本体１内の空気が、開口部からランプハウス１５６内に吸い込まれ、光源を冷却した後、異なる位置にある開口部からダクト１６１を通って排気されるものである。
【００１１】
また、本発明に係る写真処理装置は、請求項２記載の如く、前記開口部からランプハウス１５６内に不要な光が侵入するのを防止すべく、該ランプハウス１５６内に、遮光機構が設けられてなる構成を採用するのがより好ましい。
かかる構成からなる写真処理装置によれば、装置本体１の扉を開けた場合であっても、外光が開口部を介してランプハウス１５６内に侵入することはなくなり、従って、光源の光路上への外部からの光の侵入して、感光材料が不要に感光するのを防止することができる。
【００１２】
さらに、本発明に係る写真処理装置は、請求項３記載の如く、前記遮光機構が、交互に位相が異なるように連設された少なくとも二以上の遮光板１８０，…からなるラビリンス構成を採用することができる。
かかる構成からなる写真処理装置によれば、開口部を介してランプハウス１５６内に侵入しようとする光は、何れかの遮光板１８０に当たって、内部への侵入が規制される一方、光源１５５を冷却するために吸い込まれた空気は、遮光板１８０間を通って、内部への流通が許容されるのである。また、遮光機構をこのような構成とすることで、安価且つ簡潔な構成にすることができる。
【００１３】
また、本発明に係る写真処理装置は、請求項４記載の如く、前記開口部に、エアフィルタ１６８が配されてなる構成を採用することが好ましい。
かかる構成からなる写真処理装置によれば、ランプハウス１５６内に空気が吸い込まれる際に、空気に含まれる塵、埃、紙粉等が捕捉され、光路上にこれらが浮遊して陰影が感光材料上に写ることによるプリント品質の低下を防止することができる。
【００１５】
【発明の実施の形態】
以下、本発明に係る写真処理装置の一実施形態を図面を参酌しつつ説明するが、これに先立ち、本実施形態に係る写真処理装置の概略構成を説明する。
【００１６】
図１に示す如く、装置本体１の上面の一端側には、感光材料Ｐをロール状にして収容し、感光材料Ｐを装置本体１内に供給するための二つのマガジン３（３ａ，３ｂ）が載置されている。それぞれのマガジン３は、二分割されて開閉自在な略立方形状（箱型）をなし、その角部近傍には、感光材料Ｐの送り出しのための排出口４（４ａ，４ｂ）が形成されている。
【００１７】
一方、二つのマガジン３ａ，３ｂが載置される装置本体１の上面は、段差状に形成され、第一のマガジン３ａは、排出口４ａを装置本体１の上面と対向させて上段面に載置され、第二のマガジン３ｂは、排出口４ｂを段差部の壁面と対向させて下段面に載置されている。上段面と壁面とが略直交し、壁面と下段面とが略直交しているため、第二のマガジン３ｂは、第一のマガジン３ａに対して９０度回転し、それぞれの感光材料Ｐの排出方向は、互いに略直交した関係にある。
【００１８】
また、装置本体１の上面であって、それぞれのマガジン３の排出口４に対応する位置には、マガジン３の排出口４から外部に送り出された感光材料Ｐを装置本体１内に受け入れるための受入口５（５ａ，５ｂ）が形成されている。
【００１９】
そして、装置本体１内には、二つの受入口５（５ａ，５ｂ）に臨み、それぞれのマガジン３から受け取った感光材料Ｐを下方向に搬送する縦長の第一搬送ユニット７が配置されている。第一搬送ユニット７は、二つの感光材料Ｐ，Ｐの何れか一方を選択して下流側に送り出すための選択機構８と、選択された一方の感光材料Ｐを所定長さに切断するカッター機構９と、該カッター機構９より下流側に間隔を有して複数配置されたローラー１０，…とを備えている。
【００２０】
また、第一搬送ユニット７の下流位置には、該第一搬送ユニット７から受け取った感光材料Ｐを露光処理する露光処理ユニット１１が配置されている。露光処理ユニット１１は、第一搬送ユニット７から受け取った感光材料Ｐを所定速度で搬送させ、あるいは所定位置に位置決めさせるための露光台１３と、デジタル化された写真フィルムの画像データに基づいて露光台１３上の感光材料Ｐに走査光を照射する走査露光ユニット（単に、露光ユニットともいう）１４とを備えている。
【００２１】
さらに、露光台１３の下流位置には、該露光台１３から受け取った感光材料Ｐを装置本体１の下方位置から搬送方向を上方に転換して搬送するための搬送ユニットが配置されている。この搬送ユニットは、搬送経路の上流側から順番に、第二搬送ユニット１６、第三搬送ユニット１７、第四搬送ユニット１８で構成されている。
【００２２】
第二搬送ユニット１６は、露光台１３から下方に送り出された感光材料Ｐを装置本体１の下部近傍に沿って水平方向に搬送した後、搬送方向を転換して上方に搬送するためのものであり、第三搬送ユニット１７は、第二搬送ユニット１６から上方に送り出された感光材料Ｐを左右に振り分けて上方に搬送するためのものであり、第四搬送ユニット１８は、第三搬送ユニット１７から上方に送り出された感光材料Ｐを上方に搬送した後、搬送方向を転換して水平方向に搬送するためのものであり、それぞれ搬送のための複数のローラーを備えている。
【００２３】
ここで、装置本体１は、長手方向（横方向）の略中央部位にて立設された平板状の仕切りフレーム１ｂにより、上流側のプリンタ部（露光処理部）Ａと、下流側のプロセッサ部（現像処理部）Ｂとに分けられており、第二搬送ユニット１６は、プリンタ部Ａの下部フレーム１ｃに沿って配置され、第三搬送ユニット１７および第四搬送ユニット１８は、仕切りフレーム１ｂに沿って配置された態様となっている。
【００２４】
次に、装置本体１のプロセッサ部Ｂ内には、第四搬送ユニット１８から送り出された感光材料Ｐの現像処理を行なう現像処理ユニット２０が配置されている。現像処理ユニット２０は、発色液、定着液、安定液等の現像処理に必要な処理液を蓄えた複数の処理タンク２１, …と、それぞれの処理タンク２１に挿入され、上下方向に配置された複数の送りローラー２２（図中は一部のみの図示）を備えた液中ラック（図示せず）と、隣同士の処理タンク２１，２１の上方開口部を跨ぐように配置された送りローラー２３を備えたオーバーラック（図示せず）とで構成されている。
【００２５】
そして、プロセッサ部Ｂの下流側には、現像処理を終えた感光材料Ｐに付着した余分な処理液を飛ばして感光材料Ｐを乾燥処理する乾燥ユニット２５が配置されている。乾燥ユニット２５は、搬送経路上の感光材料Ｐに熱風を送給するヒーター（図示せず）と、乾燥された感光材料Ｐを外部に排出する排出ローラー２６とを備えている。
【００２６】
本実施形態に係る写真処理装置の概略構成は以上の如くであり、次に、本発明の特徴部分である露光処理ユニット１１について詳細に説明する。
【００２７】
本実施形態に係る露光処理ユニット１１は、ＤＭＤを用いて走査露光を行なうデジタル露光手段である。露光処理ユニット１１は、上述の如く、走査露光に係る感光材料Ｐの搬送を行なう露光台１３と、露光台１３上の感光材料Ｐに対して走査光を照射する走査露光ユニット１４とを備えている。そして、これらは、装置本体１の下部フレーム１ｃ上に配置された支持体１２に取付けられている。
【００２８】
支持体１２は、図２及び図３に示す如く、装置本体１の下部フレーム１ｃの上方に配置された平板状の第一基台１２０と、該第一基台１２０の上方に配置された平板状の第二基台１２１と、該第二基台１２１の上方に配置され、露光台１３および走査露光ユニット１４を取付けるための取付台１２２とからなる。また、取付台１２２は、第二基台１２１の上方に配置された平板状の基準取付台１２３と、該基準取付台１２３の上面に立設された露光台取付台１２４とからなる。これらの第一基台１２０、第二基台１２１、基準取付台１２３は、互いに所定間隔を有し、且つ、装置本体１の下部フレーム１ｃ（水平面）と略平行になるように設定されている。
【００２９】
第一基台１２０は、方形状の鋼板の四辺を下方に約９０度折り曲げて形成した偏平箱状の鈑金物で、平行配置された二本のスライドレール１２５，１２５によって装置本体１から感光材料Ｐの搬送経路の幅方向に引き出し可能に構成されている。すなわち、装置本体１の下部フレーム１ｃには、長手方向を搬送経路の幅方向に一致させて二本の長尺な第一固定レール１２６，１２６が固着して取付けられる一方、第一基台１２０の側面には、第一固定レール１２６，１２６の形状および設置位置に対応した二本の長尺な第二固定レール１２８，１２８が固着して取付けられ、さらに、第一固定レール１２６の内面と第二固定レール１２８の内面とに沿うように長尺な中間レール１２７が嵌装されており、第一固定レール１２６に沿って中間レール１２７および第二固定レール１２８をスライドさせることにより、第一基台１２０が装置本体１の内外にスライドし得るように構成されている。
【００３０】
第二基台１２１は、方形状の鋼板の四辺を下方に約９０度折り曲げて形成した偏平箱状の鈑金物で、第一基台１２０の四隅から上方に突出するボルト１３０およびこれに螺着される二つのナット１３１，１３１によって、第一基台１２０に間隔を有して固定されている。具体的には、第二基台１２１の所定位置には、ボルト１３０を挿通可能な孔が形成されており、ボルト１３０に螺着された二つのナット１３１，１３１を第二基台１２１を挟み込むように締結することで、第二基台１２１は第一基台１２０に固定される。
【００３１】
また、それぞれのボルト１３０に対するナット１３１，１３１の締結位置を調整することで、装置本体１の下部フレーム１ｃに対する第二基台１２１の傾きを調整でき、且つ、第二基台１２１に形成されたボルト挿通用の孔は、ボルト１３０の径よりも大きな径をもって形成されており、第二基台１２１を水平方向（特に、感光材料Ｐの搬送経路の幅方向）に微小移動させることができる。
【００３２】
基準取付台１２３は、撓み変形のない程度の厚みを有する鋼板からなり、第二基台１２１の上面に取付られた、例えば硬質ゴムからなる防振材１３４上に載置されている。この防振材１３４は、第二基台１２１の上面の適宜位置、例えば第二基台１２１の四隅位置に配置されており、基準取付台１２３と第二基台１２１との間に防振材１３４を介装することによって、基準取付台１２３は、第二基台１２１と間隔を有して平行に配置される。
【００３３】
また、基準取付台１２３の上面には、偏平円柱状に形成された金属性のパッド（図示しない）が、間隔を有して適宜位置に複数配設されており、これらの複数のパッドの上面が、一つの平面（第一基準面）を形成している。しかも、基準取付台１２３の上面には、パッドの上面（第一基準面）よりも上方に突出する円柱状の位置決めピン１３５が、感光材料Ｐの搬送方向の幅方向に二箇所設けられている。
【００３４】
露光台取付台１２４は、装置本体１の奥側（搬送される感光材料Ｐの一側端縁側）に位置する左側プレート１３６と、装置本体１の手前側（搬送される感光材料Ｐの他側端縁側）に位置する右側プレート１３７とを備えている。
【００３５】
左側プレート１３６は、所定の厚みを有するアルミ板を略直角三角形状に加工したもので、その板面を基準取付台１２３の奥側端縁に沿わせた状態で、短辺に係る端面１３６ａを基準取付台１２３の上面に固定することにより、端面１３６ａと直交する端面１３６ｂは、第一基準面と直交するようになっている。
【００３６】
右側プレート１３７は、所定の厚みを有するアルミ板を略長方形状に加工したもので、その板面を基準取付台１２３の奥側端縁に平行、即ち左側プレート１３６の板面と平行にした状態で、短辺に係る端面１３７ａを基準取付台１２３の上面に固定することにより、端面１３７ａと直交する端面１３７ｂは、左側プレート１３６の端面１３６ｂと同一平面状にあり、且つ、第一基準面と直交するようになっている。
【００３７】
従って、左側プレート１３６の端面１３６ｂと右側プレート１３７の端面１３７ｂとが、第一基準面と直交する一つの面（第二基準面）を形成している。
【００３８】
露光台１３は、複数のローラーを備え、第一搬送ユニット７と第二搬送ユニット１６との間に介装される搬送ユニットである。この露光台１３は、横長の箱型形状を有しており、露光台１３の四隅箇所に挿通された四本のボルト１４１，…を左側プレート１３６の端面１３６ｂ若しくは右側プレート１３７の端面１３７ｂに穿設された雌ネジにそれぞれ締結することで、露光台取付台１２４に固定されている。この時、露光台１３の平面長方形状を有する取付面１４０は、左側プレート１３６の端面１３６ｂおよび右側プレート１３７の端面１３７ｂに当接した状態となっている。
【００３９】
また、左側プレート１３６の端面１３６ｂの中央部位には、円柱状の支持ピン１４３が、一部を端面１３６ｂから臨出させて嵌入される一方、露光台１３の取付面１４０の対応位置には、支持ピン１４３を嵌入可能な円孔が穿設されている。従って、露光台１３は、この支持ピン１４３を中心として露光台取付台１２４の第二基準面に沿って回転可能となっている。
【００４０】
しかも、右側プレート１３７の端面１３７ｂの下方部位には、係止体として、端面１３７ｂに沿って回転可能な円柱状の偏心カム１４４が設けられ、この偏心カム１４４の周面が露光台１３の取付面１４０の下端（外縁）に接触するようになっているので、偏心カム１４４を回転調整したならば、支持ピン１４３を中心として露光台１３を微小回転させることができる。尚、本実施形態では、係止体として偏芯カム１４４を用いたが、ネジ等を用いて高さを調整する通常の機構を採用しても同様の効果を得ることができる。
【００４１】
また、露光台１３内に設けられたローラーは、所定間隔を有して上下方向に配置され且つ互いの軸芯を通る面が取付面１４０と平行に配置された一対のアドバンスローラー１４６，１４６と、それぞれのアドバンスローラー１４６に圧着される二本の圧着ローラー１４７，１４７とからなる。従って、第一搬送ユニット７から送り出されて露光台１３内に送り込まれた感光材料Ｐは、まず、上方のアドバンスローラー１４６とこれに圧着される二本の圧着ローラー１４７，１４７に保持され、しかる後、下方のアドバンスローラー１４６とこれに圧着される二本の圧着ローラー１４７，１４７にも保持された状態で搬送される。
【００４２】
尚、第一搬送ユニット７から露光台１３への感光材料Ｐの先端の移行、あるいは露光台１３から第二搬送ユニット１６への感光材料Ｐの先端の移行を円滑且つ確実にすべく、第一搬送ユニット７の出口部、露光台１３の入口部および出口部、そして第二搬送ユニット１６の入口部には、二枚の板体が対向配置されて先端側がテーパ状に拡開されたガイド体１４９が配置されている。
【００４３】
ここで、走査露光ユニット１４からの走査光Ｑは、二つのアドバンスローラー１４６，１４６間に照射されるように設定されており、二つのアドバンスローラー１４６，１４６間に位置する横長のスリット状領域が走査露光領域となる。また、走査露光中における感光材料Ｐの紙面直交方向での浮き上がりによってプリント品質が低下するのを防止すべく、二つのアドバンスローラー１４６，１４６間には、搬送経路に沿って多孔の背面板１５０が配置されており、背面板１５０の裏面側から多孔を介して表面側の空気を吸引することで、感光材料Ｐを背面板１５０に吸着させながら搬送させるようにしている。
【００４４】
走査露光ユニット１４は、光源としてのハロゲンランプ１５５を収容するランプハウス１５６と、ハロゲンランプ１５５の照射光を露光台１３の走査露光領域に導くための光学系を収容する光学ボックス１５７とを備えている。
【００４５】
光学ボックス１５７は、平面視にて基準取付台１２３と略同一形状の箱型に形成され、その下面が基準取付台１２３の第一基準面と当接して、基準取付台１２３上に載置されている。しかも、光学ボックス１５７の下面には、基準取付台１２３の上面に突設された二本の位置決めピン１３５，１３５が嵌入し得る孔が穿設されており、ピン１３５を孔の中に嵌入させて光学ボックス１５７を基準取付台１２３に取付けることで、光学ボックス１５７は、基準取付台１２３の正規位置に位置決め固定される。
【００４６】
また、光学ボックス１５７の内部であって、ハロゲンランプ１５５から照射される光の光軸上には、反射ミラー、レンズ、ＤＭＤ等の光学部品が配置されており、光学ボックス１５７の側面であって露光台１３との対向位置には、走査光を外部に投光させるためのスリットが横長に形成されている。
【００４７】
さらに、ランプハウス１５６には、ハロゲンランプ１５５の熱損傷を防止すべく、冷却装置が設けられている。この冷却装置は、感光材料Ｐの搬送経路の幅方向に沿って基準取付台１２３上に配設された角パイプ状のダクト１６１と、正面フレーム１ｄの開口部１ｅに連通し、該正面フレーム１ｄの裏面側に配置される排気手段としての排気ファン１６２とを備えている。そして、ダクト１６１は、ランプハウス１５６の側面に形成された方形状の開口部１６０に一端が接続されると共に、支持体１２を装置本体１内に収容した際に、装置本体１の奥側に位置する正面フレーム１ｄに形成された方形状の開口部１ｅに他端が接続される。
【００４８】
従って、走査露光ユニット１４が搭載された支持体１２を装置本体１内に収容した状態にあっては、ダクト１６１の両端がランプハウス１５６の開口部１６０と正面フレーム１ｄの開口部１ｅとに接続され、ランプハウス１５６の内部と排気ファン１６２とがダクト１６１を介して連通状態となるので、排気ファン１６２を運転させることで、ランプハウス１５６内の空気（ハロゲンランプ１５５の放熱により温められた空気）を排出することができる。
【００４９】
ここで、ランプハウス１５６は、光学ボックス１５７内への迷光の侵入を防止すると共に、収容されたハロゲンランプ１５５の強制冷却を行なうためのものであり、図４に示す如く、光学ボックス１５７の側面に設けられたハロゲンランプ装着体１６５と、該ハロゲンランプ装着体１６５に着脱自在に取付けられる略直方体形状の通風ガイド体１６６と、該通風ガイド体１６６に着脱自在に取付けられる略直方体形状の遮光体１６７と、該遮光体１６７の開放端に挿着されるエアフィルタ１６８と、該エアフィルタ１６８を挿入した状態で遮光体１６７の開放端に被せられるカバー体１６９とからなる。
【００５０】
ハロゲンランプ装着体１６５には、ハロゲン球（図示せず）を光学ボックス１５７内に挿入させた状態でリフレクタ１７０が取付けられており、ハロゲンランプ装着体１６５から外側には、リフレクタ１７０およびハロゲンランプ１５５の封止部１７１が臨出した格好となる。
【００５１】
通風ガイド体１６６は、ハロゲンランプ１５５を囲うようにしてハロゲンランプ装着体１６５に取付けられる箱体であり、一の側面（装置本体１の奥側の側面）の下方位置には、ダクト１６１の一端が接続される開口部１６０が形成されると共に、遮光体１６７と対向する面の上方位置にも開口部１７３が形成されている。また、通風ガイド体１６６内には、二枚のガイド板１７４，１７４が対向配置されており、この二枚のガイド板１７４，１７４等によって開口部１７３から開口部１６０を結ぶ一つの流路が形成されている。具体的には、通風ガイド体１６６のうちの遮光体１６７と対向する面の裏面側に、二枚のガイド板１７４，１７４が裏面と直交するように固着されており、遮光体１６７と対向する面および二枚のガイド板１７４，１７４によって断面視略コの字状の流路が形成される。この流路の開放端は、ハロゲンランプ装着体１６５に通風ガイド体１６６を取付けた状態にて、ハロゲンランプ装着体１６５の通風ガイド体１６６と対向する面にて閉塞される。従って、流路は外周が囲まれたダクト状となる。
【００５２】
二枚のガイド板１７４，１７４の先端部は、図５に示す如く、リフレクタ１７０の基端部および封止部１７１を挟み込む配置となっており（流路を構成するダクトの吹き出し側開口端に、リフレクタ１７０の基端部および封止部１７１を配置するようになっており）、二枚のガイド板１７４，１７４間を流通する空気をリフレクタ１７０の基端部および封止部１７１に吹き付けるようにしている。
【００５３】
尚、二枚のガイド板１７４，１７４は、該二枚のガイド板１７４，１７４から吹き出される空気を下流側の開口部１６０側に誘導すべく、それぞれの先端部が開口部１６０側に屈曲されており、また、二枚のガイド板１７４，１７４とリフレクタ１７０の外周曲面との干渉を防止すべく、それぞれの先端部の該当箇所がリフレクタ１７０の外周曲面に沿って（本実施形態では斜め）角取りされている。
【００５４】
遮光体１６７は、通風ガイド体１６６に形成された開口部１７３を囲うようにして該通風ガイド体１６６に取付けられる筒状の箱体であり、遮光体１６７の他端から侵入した光が通風ガイド体１６６に形成された開口部１７３を介して光学ボックス１５７内に侵入しないよう、遮光体１６７内には、遮光機構としての複数の遮光板１８０，…が配置されている。本実施形態においては、外側から通風ガイド体１６６にかけて、上方が開口された第一の遮光板１８０ａ、下方が開口された第二の遮光板１８０ｂの二枚の遮光板１８０が順番に並んで配置されている。また、それぞれ遮光板１８０の先端は、隣の遮光板１８０の先端を越して基端側に進入する長さに形成されており、遮光体１６７内を光が直進できない（遮光体１６７内を光が進めない）ようになっている。
【００５５】
尚、遮光体１６７の通風ガイド体１６６側の開放端は、板体によって閉塞されており、この板体には、通風ガイド体１６６に遮光板１６７を取付けた状態で、開口部１７３と連通する開口部１８１が形成されている。
【００５６】
エアフィルタ１６８は、遮光体１６７の断面形状と一致する直方体形状に形成されており、遮光体１６７の外側の開放端（開口部）から遮光板１６７内に挿入して遮光体１６７内に挿着される。そして、遮光体１６７に挿着されたエアフィルタ１６８は、遮光体１６７の外側の開放端に外嵌されたカバー体１６９によって抜け防止がなされる。
【００５７】
本実施形態に係る露光処理ユニット１１の詳細構成は以上の如くであり、次に、露光処理ユニット１１の調整方法について図３を参酌しつつ説明する。尚、露光処理ユニット１１の調整は、露光台１３上の走査露光領域の適正位置に走査光を照射させると共に、他の搬送ユニット（特に、第一搬送ユニット７）と露光台１３の感光材料の搬送方向を一致させることを目的としている。
【００５８】
まず、光学ボックス１５７の下面と該光学ボックス１５７から照射される走査光の照射方向とが平行となっていることを前提として、基準取付台１２３のピン１３５，１３５を光学ボックス１５７の下面に形成された二つの孔に嵌入させるように凹凸嵌合させて、光学ボックス１５７を基準取付台１２３上に載置する。この時、光学ボックス１５７の下面と基準取付台１２３の第一基準面とが当接しているので、光学ボックス１５７からの走査光の照射方向は、第一基準面と平行となる。
【００５９】
次に、左側プレート１３６の端面１３６ｂから突設されたピン１４３を露光台１３の取付面１４０の一端側中央部に穿設された円孔に嵌入させるように凹凸嵌合させて、取付面１４０の一端側を左側プレート１３６の端面１３６ｂに当接させると共に、取付面１４０の他端側を右側プレート１３７の端面１３７ｂに当接させてから、露光台１３の四箇所位置に挿通されているボルト１４１，…をそれぞれプレート１３６，１３７の端面１３６ｂ，１３７ｂに刻設された雌ネジに螺入させて、露光台１３を露光台取付台１２４に軽く固定する。
【００６０】
そして、かかる状態から、偏心カム１４４を回転調整して、露光台１３の傾き調整を行ない、走査光の走査方向とローラーの軸長方向とを平行、すなわち、走査光の走査方向と露光台における感光材料Ｐの搬送方向とを直交させた後、四本のボルト１４１，…を締結して、露光台１３を露光台取付台１２４にしっかりと固定する。
【００６１】
以上より、基準取付台１２３の上面（第一基準面）に光学ボックス１５７（走査露光ユニット１４を載置すると共に、露光台取付台１２４の端面１３６ｂ，１３７ｂ（第二基準面）に露光台１３を取付けて、偏芯カム１４４を用いて露光台１３の傾き調整を行なうのみで、走査露光ユニット１４と露光台１３との適正な位置関係を出すことができ、従って、露光台１３の走査露光領域に適正な走査光が照射されることとなる。
【００６２】
次に、ボルト１３０に締結されたナット１３１を緩めた後、ボルト１３０に対するナット１３１の螺着位置を変更すると共に、基準取付台１２３を水平方向に微小移動させ、露光台１３のローラーの軸長方向と第一搬送ユニット７のローラーの軸長方向とを平行にして、第一搬送ユニット７における感光材料Ｐの搬送方向と露光台１３における感光材料の搬送方向を一致させた後、ナット１３１，…を締結して、基準取付台１２３（第二基台１２１）を第一基台１２０に固定する。
【００６３】
以上により、基準取付台１２３の傾き調整および水平方向における位置調整を行なうのみで、走査露光ユニット１４と装置本体１（他の搬送ユニット）との関係、および、露光台１３と装置本体１（他の搬送ユニット）との関係を同時に出すことができ、従って、露光台１３上の感光材料に走査露光された複数の点像がきれいに重なった、正しいプリント画像を得ることができる。
【００６４】
本実施形態に係る露光処理ユニット１１の調整方法は以上の如くであり、本実施形態に係る露光処理ユニット１１によれば、走査露光ユニット１４は、基準取付台１２３に載置するだけで基準取付台１２３に位置決めされ、露光台１３は、露光台取付台１２４に取り付けて偏芯カム１４４を回転調整するだけで露光台取付台１２４に位置決めされるので、走査露光ユニット１４および露光台１３の何れかを一旦取り外した後、再度取付けるような場合であっても、偏芯カム１４４を触らない限り、両者の関係は維持されたままなので、再度の調整作業は不要である。
【００６５】
また、走査露光ユニット１４および露光台１３は、一つの部材（基準取付台１２３および露光台取付台１２４からなる取付台１２２）に一体的に取り付けられているので、走査露光ユニット１４および露光台１３の相対関係を維持しつつ、装置本体１（他の搬送ユニット）に対する調整作業を行なうことができる。しかも、走査露光ユニット１４および露光台１３の何れかを修理、補修、交換等で一旦取り外した後、再度取付けるような場合であっても、ナット１３１，…および偏芯カム１４４を触らない限り、両者と装置本体１（他の搬送ユニット）との関係は維持されたままなので、両者と装置本体１との再度の調整作業は不要である。
【００６６】
次に、ハロゲンランプ１５５を強制冷却するための冷却装置の動作態様について図４を参酌しつつ説明する。
【００６７】
露光処理ユニット１１が装置本体１内に収容された状態では、排気ファン１６２とランプハウス１５６とがダクト１６１を介して連通しており、排気ファン１６２を運転することで、ランプハウス１５６内は負圧状態となる。
【００６８】
すると、装置本体１内の空気は、エアフィルタ１６８を介してランプハウス１５６内に吸い込まれる。吸い込まれた空気は、エアフィルタ１６８にて塵、埃、紙粉等が除去され、まず、遮光体１６７内の遮光板１８０，…間を曲折しながら流通する。
【００６９】
そして、遮光体１６７の開口部１８１を出た空気は、開口部１７３から通風ガイド体１６６内に流通する。そこで、空気は、二枚のガイド板１７４，１７４間を通って通風ガイド体１６６の側面下方位置に形成された開口部１６０に導かれる。この時、流路上に介在するリフレクタ１７０の基端部および封止部１７１は、流通する空気に晒されて強制冷却されることとなる。しかる後、ハロゲンランプ１５５を冷却した空気は、ダクト１６１内を流通してから装置本体１の外部に排気されることとなる。
【００７０】
以上、ランプハウス１５６内における空気の流通により、ハロゲンランプ１５５全体が冷却されるのはもちろん、特に熱損傷を受けやすい封止部１７１が好適に冷却されて、ハロゲンランプ１５５の長寿命化を図ることができる。
【００７１】
しかも、ランプハウス１５６内に、複数の遮光板１８０，…からなるラビリンス構造を採用することで、ハロゲンランプ１５５の冷却用空気の流通を阻害することなく、光の侵入を規制することができるため、光学ボックス１５７内へ侵入した迷光によって感光材料Ｐが不用意に感光するのを防止することができる。
【００７２】
尚、本発明に係る写真処理装置は、上記実施形態に限定されるものではなく、本発明の要旨を逸脱しない範囲にて種々の変更が可能である。
【００７３】
例えば、本発明は、上記実施形態の如く、ＤＭＤをデジタル用デバイスに採用するものに限られず、また、従来技術で列挙したものに限られず、公知となっているデジタル用デバイス全てを含むものである。
【００７４】
また、露光方式としては、走査露光方式に限定されず、また、走査露光方式であったとしても、感光材料Ｐが停止している状態で走査露光を行なう方式、露光ユニット側が移動して走査露光を行なう方式であってもよい。
【００７５】
さらに、デジタル露光に係るデジタル画像データは、写真フィルムの画像から採取する場合にのみ限定されるものではなく、例えばコンピューター上にて作成した画像であってもよく、デジタルカメラで撮影した画像であってもよく、スキャナー装置にて読込可能な印刷物の画像であってもよい。
【００７６】
また、取付台の位置調整（特に、傾き調整）を行なう構成、露光台の傾き調整を行なう構成は、上記実施形態に限定されず、露光ユニットおよび露光台を位置決めする構成も、上記実施形態に限定されない。
【００７７】
そして、排気手段としての排気ファン１６２をランプハウス１５６に直接設けると、排気ファン１６２の振動が、走査露光ユニット１４や露光台１３に伝わるおそれがあるので、上記実施形態のようにすればよい。すなわち、上記実施形態では、振動発生源となり得る排気ファン１６２を支持台１２（取付台１２２）から離間せしめ、この排気ファン１６２とダクト１６１との間に防振材を介装すると共に、ダクト１６１とランプハウス１５６との間にも防振材を介装して、排気ファン１６２の振動をランプハウス１５６に伝えないようにしているのである。
【００７８】
また、上記実施形態においては、二枚の遮光板１８０ａ，１８０ｂを、遮光体１６７の通気方向に対して位相をずらして配置しているが、要は、通気を可能にして且つ遮光を可能にするようになっていれば、本発明の意図するところであり、従って、遮光板１８０を三枚以上設ける場合でもよい。
【００７９】
【発明の効果】
以上の如く、本発明に係る写真処理装置は、装置本体内に配された光源を収めるランプハウスが設けられると共に、ランプハウスの一部に、装置本体内に面する開口部が形成され、さらに、該開口部から装置本体内の空気をランプハウス内に吸い込むための吸気手段が設けられているため、光源の冷却に係る構成を簡素化することができ、製造コストを低減することができる。しかも、ランプハウスは、装置本体とは直接に接続されていないので、ランプハウスの取外し、ひいては光源の取外し作業を簡潔に行なうことができる。
【図面の簡単な説明】
【図１】本発明の一実施形態を示す写真処理装置の概略側面図。
【図２】同実施形態の露光処理ユニットの外観斜視図。
【図３】同実施形態の露光処理ユニット近傍の側面図。
【図４】同実施形態のランプハウスの分解斜視図。
【図５】同実施形態のランプハウスの通風ガイド体を示し、（イ）は、要部側面図、（ロ）は、（イ）のＡ矢視図。
【符号の説明】
１…装置本体、３…マガジン、７…第一搬送ユニット、１１…露光処理ユニット、１３…露光台、１４…走査露光ユニット、２０…現像処理ユニット、１２２…取付台、１２３…基準取付台、１２４…露光台取付台、１３０…ボルト、１３１…ナット、１３４…防振材、１３５…位置決めピン、１３６…左側プレート、１３６ｂ…端面、１３７…右側プレート、１３７ｂ…端面、１４３…支持ピン、１４４…偏心カム、１４６…アドバンスローラー、１５５…ハロゲンランプ、１５６…ランプハウス、１５７…光学ボックス、１６５…ハロゲンランプ装着体、１６６…通風ガイド体、１６７…遮光体、１６８…エアフィルタ、１６９…カバー体、Ｐ…感光材料
【図１】
0003743606.tif 000002
【図２】
0003743606.tif 000003
【図３】
0003743606.tif 000004
【図４】
0003743606.tif 000005
【図５】
0003743606.tif 000006